【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
無線基地局（ＲＢＳ）を含む無線通信システムにおいて、前記ＲＢＳは、
複数個の移動局と通信する１つ以上の無線通信チャネルを提供する物理層リソースと、
物理層リソースの割当てを制御する媒体アクセス制御（ＭＡＣ）論理と、を含み
前記ＭＡＣ論理は２つ以上の逆方向リンク・レート制御器を含み、各レート制御器はＲＢＳによりサポートされている１つ以上の移動局に対して異なる逆方向リンク・レート制御機構を提供するよう構成されている、
無線通信システム。
【請求項２】
請求項１記載のシステムにおいて、
２つ以上のレート制御器は以下のレート制御器の群：
セクタ単位逆方向リンク・レート制御指令を与えるように構成されたセクタ単位レート制御器と、ユーザー単位逆方向リンク・レート制御指令を与えるように構成されたユーザー単位レート制御器と、群単位逆方向リンク・レート制御指令を与えるように構成された群単位レート制御器と、１つ以上の移動局にスケジュールされた逆方向リンク・レート制御指令を与えるように構成されたスケジュール・レート制御器、
のうちの２つ以上のレート制御器を含むシステム。
【請求項３】
請求項１記載のシステムにおいて、
２つ以上のレート制御器は、セクタ単位逆方向リンク・レート制御指令を発生するように構成されたセクタ単位レート制御器と、群単位逆方向リンク・レート制御指令を発生するように構成された１つ以上の群単位レート制御器と、ユーザー単位逆方向リンク・レート制御指令を発生するように構成されたユーザー単位レート制御器と、１つ以上の移動局にスケジュールされた逆方向リンク・レートを発生するように構成されたスケジュール・レート制御器と、を含むシステム。
【請求項４】
請求項１記載のシステムにおいて、
２つ以上のレート制御器は、群単位逆方向リンク・レート制御指令を発生するように構成された１つ以上の群単位レート制御器と、セクタ単位逆方向リンク・レート制御指令を発生するように構成された１つ以上のセクタ単位レート制御器と、移動機単位逆方向リンク・レート制御指令を発生するように構成されたユーザー単位レート制御器と、１つ以上の移動局にスケジュールされた逆方向リンク・レートを発生するように構成されたスケジュール・レート制御器と、を含むシステム。
【請求項５】
請求項１記載のシステムにおいて、
２つ以上のレート制御器は、ユーザー単位逆方向リンク・レート制御指令を発生するように構成されたユーザー単位レート制御器と、セクタ単位逆方向リンク・レート制御指令を発生するように構成された１つ以上のセクタ単位レート制御器と、群単位逆方向リンク・レート制御指令を発生するように構成された群単位レート制御器と１つ以上の移動局にスケジュールされた逆方向リンク・レートを発生するように構成されたスケジュール・レート制御器と、を含むシステム。
【請求項６】
請求項１記載のシステムにおいて、
２つ以上のレート制御器は、セクタ単位レート制御器と、群単位レート制御器と、ユーザー単位レート制御器とを含む３つのレート制御器を含み、ＭＡＣ論理は３つのレート制御器を同時に実行して、ＲＢＳによりサポートされている異なる移動局または移動局の群に３つの異なるレート制御機構を提供するよう構成されているシステム。
【請求項７】
請求項１記載のシステムにおいて、
ＭＡＣ論理は２つ以上のレート制御器の少なくとも１つからのレート制御指令を共通電力制御チャネル上で多重化するよう構成されているシステム。
【請求項８】
請求項１記載のシステムにおいて、物理層リソースは１つ以上のサブチャネルを共通電力制御チャネル上に設けるように構成され、ＭＡＣ論理は２つ以上のレート制御器からの制御指令を１つ以上のサブチャネル上で送信するよう構成されているシステム。
【請求項９】
請求項１記載のシステムにおいて、
各移動局に１つ以上のレート制御器を選択的に割当てるよう構成された基地局制御論理をさらに含む、システム。
【請求項１０】
請求項９記載のシステムにおいて、
基地局制御論理は、移動局がＭＡＣ論理の２つの異なるレート制御器からレート制御指令を受信するように、特定の移動局に２つ以上のレート制御器の２つを割当てるよう構成されるシステム。
【請求項１１】
請求項１０記載のシステムにおいて、
２つのレート制御器の最初のものは、セクタ単位レート制御器、群単位レート制御器、ユーザー単位レート制御器の内の１つを含み、２つのレート制御器の第２のものは群単位レート制御器、セクタ単位レート制御器、及びユーザー単位レート制御器の内の１つを含む、システム。
【請求項１２】
請求項９記載のシステムにおいて、
基地局制御論理は、移動局のアプリケーション型式を基に個々の移動局へ１つ以上のレート制御器を割当てるよう構成されているシステム。
【請求項１３】
請求項９記載のシステムにおいて、
基地局制御論理は、移動局の変化するアプリケーション型式を基に進行しているサービス時にどのレート制御器が特定の移動局に割当てられているかを変更するよう構成されているシステム。
【請求項１４】
請求項９記載のシステムにおいて、基地局制御論理を含む基地局制御器（ＢＳＣ）をさらに含む、システム。
【請求項１５】
請求項９記載のシステムにおいて、基地局制御論理は呼設定時に移動局に１つ以上のレート制御器を割当てるよう構成されているシステム。
【請求項１６】
無線通信網基地局システムでの逆方向リンク制御の方法において、
２つ以上の逆方向リンク・レート制御器を設ける段階であって、各レート制御器は他のレート制御器により発生される指令とは異なる逆方向リンク・レート制御指令を発生するよう構成されている前記設ける段階と、
個々の移動局に少なくとも１つのレート制御器を選択的に関係付ける段階と、
１つ以上のレート制御器を使用して逆方向リンク・レート制御指令を発生し、この指令を関係する移動局へ送信する段階と、
を含む、無線通信網基地局システムでの逆方向リンク制御の方法。
【請求項１７】
請求項１６記載の方法において、
２つ以上のレート制御器を設ける段階は、基地局システムに含まれる無線基地局の各無線セクタに２つ以上のレート制御器を実装する制御論理を設ける段階を含む、方法。
【請求項１８】
請求項１７記載の方法において、
基地局システムに含まれる無線基地局の各無線セクタに２つ以上のレート制御器を実装する制御論理を設ける段階は、無線基地局に媒体アクセス制御（ＭＡＣ）論理を設ける段階を含み、ＭＡＣ論理は無線基地局の各無線セクタで２つ以上のレート制御器を実装するよう機能的に構成されている、方法。
【請求項１９】
請求項１７記載の方法において、
基地局システムに含まれる無線基地局の各無線セクタに２つ以上のレート制御器を実装する制御論理を設ける段階は、基地局システムに含まれる基地局制御器に基地局制御論理を設ける段階を含み、基地局制御論理は無線基地局の各無線セクタで２つ以上のレート制御器を実装するよう機能的に構成されている、方法。
【請求項２０】
請求項１６記載の方法において、
個々の移動局に少なくとも１つのレート制御器を選択的に関係付ける段階は、個々の移動局の１つ以上のサービス要求を基に呼認可時に個々の移動局へのレート制御器関係付けを決定する段階を含む、方法。
【請求項２１】
請求項２０記載の方法において、
個々の移動局に少なくとも１つのレート制御器を選択的に関係付ける段階は、個々の移動局の変化するサービス要求を基に呼認可後に個々の移動局のレート制御器関連付けを動的に変更する段階をさらに含む、方法。
【請求項２２】
請求項２０記載の方法において、
個々の移動局に少なくとも１つのレート制御器を選択的に関係付ける段階は、個々の移動局の変化するサービス要求を基に呼認可後に個々の移動局のレート制御器関連付けを動的に変更することにより逆方向リンク輻輳を制御する段階をさらに含む、方法。
【請求項２３】
請求項１６記載の方法において、
個々の移動局に少なくとも１つのレート制御器を選択的に関係付ける段階は、移動局の逆方向リンク・レート制御が基本及び補助レート制御器により送信されるレート制御指令の所要の組合せ関係を基に実行されるように、少なくとも１つの移動局にレート制御器の第１のものを関係付けて移動局の基本レート制御器として動作させ、レート制御器の第２のものを関係付けて移動局の補助レート制御器として動作させる段階を含む、方法。
【請求項２４】
請求項１６記載の方法において、
２つ以上の逆方向リンク・レート制御器を設ける段階は、基地局システムの特定の無線セクタに対して、セクタ単位レート制御器、群単位レート制御器、ユーザー単位専用レート制御器、及びスケジュール・レート制御器を含む群から選択された少なくとも２つのレート制御器を設ける段階を含む、方法。
【請求項２５】
請求項１６記載の方法において、
２つ以上の逆方向リンク・レート制御器を設ける段階は、基地局システムの特定の無線セクタに対して、少なくとも１つの群単位レート制御器を設けて関係する移動局の群に共通レート制御指令を発生する段階と、無線セクタに共通レート制御指令を発生するセクタ単位レート制御器と、関係する移動局に専用レート制御指令を発生するユーザー単位レート制御器と、関係する移動局にスケジュールされたレート制御指令を発生するスケジュール・レート制御器とを含む少なくとも１つの他のレート制御器を設ける段階とを含む、方法。
【請求項２６】
請求項１６記載の方法において、
２つ以上の逆方向リンク・レート制御器を設ける段階は、基地局システムの特定の無線セクタに対して、少なくとも１つのセクタ単位レート制御器を設けて関係する移動局に共通レート制御指令を発生する段階と、関係する移動局に共通レート制御指令を発生する群単位レート制御器と、関係する移動局に専用レート制御指令を発生するユーザー単位レート制御器と、または関係する移動局にスケジュールされたレート制御指令を発生するスケジュール・レート制御器とを含む少なくとも１つの他のレート制御器を設ける段階とを含む、方法。
【請求項２７】
請求項１６記載の方法において、
２つ以上の逆方向リンク・レート制御器を設ける段階は、基地局システムの特定の無線セクタに対して、少なくとも１つのユーザー単位レート制御器を設けて関係する移動局に専用レート制御指令を発生する段階と、関係する移動局に共通レート制御指令を発生するセクタ単位レート制御器と、関係する移動局に共通レート制御指令を発生する群単位レート制御器と、関係する移動局にスケジュールされたレート制御指令を発生するスケジュール・レート制御器とを含む少なくとも１つの他のレート制御器を設ける段階とを含む、方法。
【請求項２８】
無線通信網基地局において、複数の移動局の逆方向リンク・レートを制御するための共通レート制御指令を発生する方法であって、
基地局において逆方向リンク・ローディングのレベルに対応する指示値を周期的に発生する段階と、そして
基地局によって伝送された対応するレート制御チャネルで前記複数の移動局に指示値を伝送する段階と、を含み、
前記複数の移動局の各々が基地局からの指示値の受信に応答して逆方向リンク・データレートを調節するように構成される、共通レート制御指令を発生する方法。
【請求項２９】
請求項２８記載の方法において、
基地局において逆方向リンク・ローディングのレベルに対応する指示値を周期的に発生する前記段階は、基地局において逆方向リンク・ローディング評価と１以上の定義された逆方向リンク・ローディング閾値に基づき複数ビット指示値を設定することを含む、方法。
【請求項３０】
請求項２８記載の方法において、
基地局において逆方向リンク・ローディングのレベルに対応する指示値を周期的に発生する前記段階は、基地局において逆方向リンク・ローディングの現在の評価が特に逆方向リンク・ローディングの複数の定義された区域の特定の１つにあることを指示するために複数ビット指示値を設定することを含む、方法。
【請求項３１】
請求項２８記載の方法において、
基地局において逆方向リンク・ローディングのレベルに対応する指示値を周期的に発生する前記段階は、基地局において逆方向リンク・ローディングの評価を表す複数ビット指示値を発生することを含む、方法。
【請求項３２】
請求項２８記載の方法において、
基地局によって伝送された対応するレート制御チャネルで前記複数の移動局に指示値を伝送する前記段階は、基地局によって伝送された共通電力制御チャネル内に規定されたレート制御サブチャネルで指示値を伝送する段階を含む、方法。
【請求項３３】
請求項３２記載の方法において、
基地局によって伝送された共通電力制御チャネル内に規定されたレート制御サブチャネルで指示値を伝送する前記段階は、共通電力制御チャネル上の１以上の繰り返しスロットをレート制御サブチャネルに割り当て、それらの割り当てられたスロットを複数の移動局に対して呼設定又は呼ハンドオフ処理の一部として規定する、方法。
【請求項３４】
複数の移動局の逆方向リンク・データレートを制御するために共通レート制御指令を発生するよう構成された無線通信網基地局であって、
前記基地局において逆方向リンク・ローディングのレベルに対応する指示値を周期的に発生し、そして当該基地局によって伝送された対応するレート制御チャネルで前記複数の移動局に指示値を伝送するように構成された１以上の処理回路を含み、
前記複数の移動局の各々が基地局からの指示値の受信に応答して逆方向リンク・データレートを調節するように構成された、無線通信網基地局。